(57)【要約】【課題】振動デバイスを用いて操作部材を操作するユーザに良好な操作感を与える。【解決手段】電子機器１０２は、ベース筒１９０と、ユーザ操作によりベース筒の外周において回転する操作リング１０３と、ベース筒により保持され、操作リングの回転に応じて振動を発生する振動デバイス１０８と、振動デバイスの振動を操作リングに伝達する振動伝達部材２０２とを有する。【選択図】図６
2020052152.tif 000002
【特許請求の範囲】
【請求項１】
ベース筒と、
ユーザ操作により前記ベース筒の外周において回転する操作リングと、
前記ベース筒により保持され、前記操作リングの回転に応じて振動を発生する振動デバイスと、
前記振動デバイスの振動を前記操作リングに伝達する振動伝達部材とを有することを特徴とする電子機器。
【請求項２】
前記ベース筒は、その内側に被収容部材を収容しており、
前記振動デバイスと前記振動伝達部材が、前記被収容部材と前記操作リングとの間に配置されていることを特徴とする請求項１に記載の電子機器。
【請求項３】
前記ベース筒の周壁部が凹部を有し、
前記振動デバイスと前記振動伝達部材が前記凹部の内側に配置されていることを特徴とする請求項２に記載の電子機器。
【請求項４】
前記振動伝達部材を前記操作リングに付勢する付勢部材を有し、
前記振動デバイスが振動を発生する振動方向は、前記付勢部材による前記振動伝達部材の付勢方向とは異なる方向であることを特徴とする請求項１から３のいずれか一項に記載の電子機器。
【請求項５】
前記振動伝達部材を、前記ベース筒に設けられた軸部の回りで前記操作リングに付勢する付勢部材を有し、
前記軸部、前記付勢部材、前記振動デバイスおよび前記振動伝達部材が前記操作リングの内周に沿う周方向に配置されていることを特徴とする請求項１から４のいずれか一項に記載の電子機器。
【請求項６】
前記振動伝達部材は、前記操作リングの内周に設けられたギア部に噛み合うギア部材であることを特徴とする請求項１から５のいずれか一項に記載の電子機器。
【請求項７】
前記ギア部材の回転を検出する回転検出手段を有し、
前記振動デバイスは、前記回転検出手段により前記ギア部材の回転が検出されることに応じて振動を発生することを特徴とする請求項６に記載の電子機器。
【請求項８】
前記電子機器をユーザが把持するためのグリップ部を有し、
前記振動伝達部材は、前記操作リングの回転中心軸を挟んで前記グリップ部とは反対側に配置されていることを特徴とする請求項１から７のいずれか一項に記載の電子機器。
【請求項９】
前記振動デバイスは、リニアアクチュエータであることを特徴とする請求項１から８のいずれか一項に記載の電子機器。
【請求項１０】
前記ベース筒は、前記被収容部材として光学系を収容していることを特徴とする請求項２に記載の電子機器。
【発明の詳細な説明】
【技術分野】
【０００１】
本発明は、ユーザ操作に応じた振動を発生する電子機器に関する。
【背景技術】
【０００２】
デジタルカメラ、ビデオカメラおよび交換レンズ等の電子機器には、回転リング、ダイアル、ボタン等の操作部材のユーザ操作に応じて力感やクリック感等の操作感を発生させる構成を有することが多い。
【０００３】
特許文献１には、ユーザによる押圧操作が可能なシャッタボタン等のボタンの直下に振動デバイス（圧電アクチュエータ）を設け、押圧操作に応じて振動デバイスを振動させて操作感をユーザに与えるカメラが開示されている。また、特許文献２には、ユーザが指を置くシャッタボタンやユーザが把持するグリップ部に設けた振動デバイスに振動を発生させることで、被写体を適正に撮像できる向きをユーザに知覚させる（つまりはカメラの向きを指示する情報を与える）カメラが開示されている。
【先行技術文献】
【特許文献】
【０００４】
【特許文献１】特開２００６−１３６８６５号公報
【特許文献２】特開２０１３−１５７９５３号公報
【発明の概要】
【発明が解決しようとする課題】
【０００５】
しかしながら、ユーザがカメラのレンズ鏡筒部の外周に設けられた操作リングを回転操作する際に、実際にユーザが指を触れる操作リングとは異なるカメラ本体（例えばグリップ部）が振動すると、ユーザが違和感を覚えるおそれがある。さらに、操作リングのうちユーザが指を触れていない部分に配置された振動デバイスを振動させてユーザの指に良好に振動を伝達するためには、振動デバイスが発生する振動を大きくする必要がある。
【０００６】
本発明は、振動デバイスを用いて操作部材を操作するユーザに良好な操作感を与えることができるようにした電子機器を提供する。
【課題を解決するための手段】
【０００７】
本発明の一側面としての電子機器は、ベース筒と、ユーザ操作によりベース筒の外周において回転する操作リングと、ベース筒により保持され、操作リングの回転に応じて振動を発生する振動デバイスと、振動デバイスの振動を操作リングに伝達する振動伝達部材とを有することを特徴とする。
【発明の効果】
【０００８】
本発明によれば、振動デバイスを用いて操作部材を操作するユーザに良好な操作感を与えることができる小型の電子機器を実現することができる。
【図面の簡単な説明】
【０００９】
【図１】（ａ）本発明の実施例である交換レンズおよびデジタルカメラの外観斜視図と（ｂ）該交換レンズに搭載されたＬＲＡの構成を示す図。
【図２】（ａ）実施例の交換レンズおよびデジタルカメラの背面斜視図と（ｂ）底面斜視図。
【図３】実施例の交換レンズおよびデジタルカメラと、該カメラに装着されるアクセサリを示す外観斜視図。
【図４】実施例の交換レンズおよびデジタルカメラの構成を示すブロック図。
【図５】（ａ）実施例の交換レンズおよびデジタルカメラの正面図と（ｂ）側面図。
【図６】実施例の交換レンズの分解斜視図（前側斜視図）。
【図７】実施例の交換レンズの分解斜視図（後側斜視図）。
【図８】実施例の交換レンズの断面図。
【発明を実施するための形態】
【００１０】
以下、本発明の実施例について図面を参照しながら説明する。
【００１１】
図１（ａ）は、本発明の実施例である交換レンズ（電子機器および光学機器）１０２と該交換レンズ１０２が着脱可能に装着されるデジタルカメラ（以下、カメラ本体という）１００の外観を示している。図２（ａ），（ｂ）はそれぞれ、交換レンズ１０２とカメラ本体１００の背面および底面を示している。図１（ａ）に示すように、交換レンズ１０２が収容する撮像光学系の光軸が延びる光軸方向をＺ軸方向とし、これに直交する方向をＸ軸方向（水平方向）およびＹ軸方向（垂直方向）とする。以下、Ｘ軸方向とＹ軸方向をまとめてＸ／Ｙ軸方向とも記す。また、Ｘ軸回りの回転方向をピッチ（Ｐｉｔｃｈ）方向とし、Ｙ軸回りの回転方向をヨー（Ｙａｗ）方向とする。ピッチ方向とヨー方向（以下、まとめてピッチ／ヨー方向とも記す）は、互いに直交するＸ軸とＹ軸である２軸回りでの回転方向である。
【００１２】
カメラ本体１００のうち前方（被写体側）から見て左側（後方から見て右側）の部分には、ユーザがカメラ本体１００を手で把持するためのグリップ部１０１が設けられている。また、カメラ本体１００の上面部には、電源レバー１０９が配置されている。カメラ本体１００が電源オフ状態にあるときにユーザが電源レバー１０９をオン操作すると、カメラ本体１００が電源オン状態となり撮像が可能となる。また、カメラ本体１００が電源オン状態にあるときにユーザが電源レバー１０９をオフ操作すると、カメラ本体１００が電源オフ状態になる。
【００１３】
さらにカメラ本体１００の上面部には、モードダイアル１０４、レリーズボタン１０５およびアクセサリシュー１０６が設けられている。モードダイアル１０４をユーザが回転操作することで、撮像モードを切り替えることができる。撮像モードには、シャッタ速度や絞り値等の撮像条件をユーザが任意に設定可能なマニュアル静止画撮像モード、自動で適正な露光量が得られるオート静止画撮像モードおよび動画の撮像を行うための動画撮像モード等が含まれる。また、レリーズボタン１０５をユーザが半押し操作することでオートフォーカスや自動露出制御等の撮像準備動作を指示することができ、全押し操作することで撮像を指示することができる。アクセサリシュー１０６には、図３に示すように、外部フラッシュ１１４ａや外部ファインダ（ＥＶＦ）１１４ｂ等のアクセサリが脱着可能に装着される。また、カメラ本体１００内には、交換レンズ１０２内の撮像光学系により形成される被写体像を光電変換（撮像）する撮像素子（図４参照）が設けられている。
【００１４】
交換レンズ１０２は、カメラ本体１００に設けられたマウント１１６に機械的および電気的に接続される。前述したように交換レンズ１０２内には、被写体からの光を結像させて被写体像を形成する撮像光学系（図４参照）が収容されている。交換レンズ１０２の外周には、ユーザ操作により光軸回りで回転可能な操作リング１０３が設けられている。ユーザは、操作リング１０３の所定回転量ごとの複数の回転位置のそれぞれに撮像条件を変更するための任意の機能を割り当てることができる。例えば、操作リング１０３を回転操作してその回転位置を選択することで、焦点位置や露出値等の撮像条件を可変設定することができる。
【００１５】
さらに交換レンズ１０２内には、振動デバイス１０８が設けられている。振動デバイス１０８は、操作リング１０３の回転操作に応じて振動し、操作リング１０３に振動を与える。振動デバイス１０８は、例えば、圧電素子を用いたタイプ、偏心モータタイプまたはリニアアクチュエータ（ＬＲＡ：Linear Resonant Actuator）タイプであり、その振動強度（振幅）や振動周波数等の振動パラメータを可変設定することができる。振動パラメータを変更することで、様々な振動パターンの振動を発生させることができる。
【００１６】
図２（ａ）に示すように、カメラ本体１００の背面には、背面操作部１１０と表示部１１１とが設けられている。背面操作部１１０は、様々な機能が割り当てられた複数のボタンやダイアルを含む。カメラ１０の電源がＯＮ状態であり、静止画または動画撮像モードが設定されているとき、表示部１１１には、撮像素子により撮像されている被写体像のスルー画像が表示される。また、表示部１１１には、シャッタ速度や絞り値等の撮像条件を示す撮像パラメータが表示され、ユーザはその表示を見ながら背面操作部１１０を操作することによって撮像パラメータの設定値を変更することが可能である。背面操作部１１０は、記録された撮像画像の再生を指示するための再生ボタンを含み、該再生ボタンをユーザが操作することで、撮像画像が表示部１１１に再生表示される。
【００１７】
図２（ｂ）に示すように、カメラ本体１００の底面には三脚座１１２が設けられている。この三脚座１１２には、図３に示すように三脚１１５が取り付けられる。
【００１８】
図１（ｂ）は、本実施例において用いられるＬＲＡタイプの振動デバイス１０８の構成を示している。ＬＲＡは、振動子１０８ａ、マグネット１０８ｂ、バネ１０８ｃ、コイル１０８ｄおよびベース１０８ｅにより構成されている。振動子１０８ａは、マグネット１０８ｂを保持し、かつベース１０８ｅに対してバネ１０８ｃにより移動可能に結合されている。コイル１０８ｄは、マグネット１０８ｂの近傍に配置され、不図示の基板と電気的に接続される。コイル１０８ｄは、基板から電流を与えられることで電磁力を発生し、その電磁力とマグネット１０８ｂとの間の吸着力また反発力により振動子１０８ａが往復運動することにより、振動デバイス１０８に図中の矢印方向に振動が発生する。
【００１９】
図４は、カメラ本体１００および交換レンズ１０２の電気的および光学的な構成を示している。カメラ本体１００は、カメラ本体１００と交換レンズ１０２に電力を供給する電源部１２０と、前述した電源レバー１０９、モードダイアル１０４、レリーズボタン１０５、背面操作部１１０および表示部１１１のタッチパネル機能を含む操作部１２１とを有する。カメラ本体１００および交換レンズ１０２の全体の制御は、カメラ本体１００に設けられた制御手段としての制御部１２２によって行われる。制御部１２２は、不図示のメモリに格納されているコンピュータプログラムを読み出して実行することで、カメラ本体１００および交換レンズ１０２の全体を制御する。この際、制御部１２２は、マウント１１６に設けられた電気接点の通信端子を介して、交換レンズ１０２と各種制御信号やデータ等の通信を行う。電気接点は、前述した電源部１２０からの電力を交換レンズ１０２に供給する電源端子を含む。
【００２０】
交換レンズ１０２が有する撮像光学系は、光軸方向に移動して変倍を行うズームレンズを含むズームユニット１２３と、像振れを低減（補正）する防振素子としてのシフトレンズを含むレンズ防振ユニット１２５とを有する。レンズ防振ユニット１２５は、シフトレンズを光軸に対して直交するＸ／Ｙ軸方向に移動（シフト）させて像振れを低減する防振動作を行う。また、撮像光学系は、光量調節動作を行う絞りユニット１２９と、光軸方向に移動して焦点調節を行うフォーカスレンズを含むフォーカスユニット１３１とを有する。
【００２１】
交換レンズ１０２は、ズームユニット１２３を駆動してズームレンズを移動させるズーム駆動部１２４と、レンズ防振ユニット１２５を駆動してシフトレンズをシフトさせる防振駆動部１２６と、絞りユニット１２９を駆動する絞り駆動部１３０とを有する。また、交換レンズ１０２は、フォーカスユニット１３１を駆動してフォーカスレンズを移動させるフォーカス駆動部１３２を有する。
【００２２】
カメラ本体１００は、シャッタユニット１４１、撮像素子１３３、画像処理部１３６および前述した制御部１２２を有する。シャッタユニット１４１は、交換レンズ１０２内の撮像光学系からの光による撮像素子１３３の露光量を制御する。撮像素子１３３は、撮像光学系により形成された被写体像を光電変換して撮像信号を出力する。画像処理部１３６は、撮像信号に対して各種画像処理を行って画像信号を生成する。表示部１１１は、画像処理部１３６から出力された画像信号（スルー画像）を表示したり、前述したように撮像パラメータを表示したり、記憶部１３７に記録された撮像画像を再生表示したりする。
【００２３】
制御部１２２は、操作部１２１（背面操作部１１０）に含まれるズームボタンがユーザにより操作されることで変倍の指示が入力されると、ズーム駆動部１２４を介してズームユニット１２３の駆動を制御することで変倍を行わせる。また、制御部１２２は、操作部１２１から受けた絞り値やシャッタ速度の設定値に応じて、絞り駆動部１３０およびシャッタ駆動部１４２を介して絞りユニット１２９およびシャッタユニット１４１の駆動を制御する。
【００２４】
また、制御部１２２は、操作部１２１（レリーズボタン１０５）における撮像準備操作（半押し操作）に応じて、画像処理部１３６から取得した焦点信号に応じて、フォーカス駆動部１３２を介してフォーカスユニット１３１の駆動を制御してオートフォーカスを行う。さらに、制御部１２２は、撮像準備操作に応じて、画像処理部１３６から取得した輝度信号に応じて測光演算も行う。また、制御部１２２は、操作部１２１（レリーズボタン１０５）における撮像指示操作（全押し操作）に応じて、測光演算結果に基づいて絞り駆動部１３０を介して絞りユニット１２９の駆動を制御するとともに、シャッタ駆動部１４２を介してシャッタユニット１４１の駆動を制御する。
【００２５】
本実施例では、撮像素子１３３は、防振素子としてセンサ防振ユニット１３５に含まれている。センサ防振ユニット１３５は、撮像素子１３３を光軸に対して直交するＸ／Ｙ軸方向に移動（シフト）させて像振れを低減（補正）する防振動作を行う。制御部１２２は、センサ駆動部１３４を介して、センサ防振ユニット１３５の駆動（撮像素子１３３のシフト位置）を制御する。
【００２６】
カメラ本体１００は、該カメラ本体１００に加わる手振れ等の振れ（以下、カメラ振れという）を検出可能な振れ検出手段としてのピッチ振れ検出部１２７ａとヨー振れ検出部１２７ｂを有する。ピッチ振れ検出部１２７ａとヨー振れ検出部１２７ｂはそれぞれ、角速度センサ（振動ジャイロ）や角加速度センサを用いて、ピッチ方向（Ｘ軸回りの回転方向）およびヨー方向（Ｙ軸回りの回転方向）のカメラ振れを検出して振れ信号を出力する。
【００２７】
ピッチ防振演算部１２８ａは、ピッチ振れ検出部１２７ａからの振れ信号を用いてレンズ防振ユニット１２５（シフトレンズ）とセンサ防振ユニット１３５（撮像素子１３３）のＹ軸方向でのシフト位置を算出する。また、ヨー防振演算部１２８ｂは、ヨー振れ検出部１２７ｂからの振れ信号を用いてレンズ防振ユニット１２５とセンサ防振ユニット１３５のＸ軸方向でのシフト位置を算出する。制御部１２２は、ピッチ防振演算部１２８ａとヨー防振演算部１２８ｂが算出したピッチ／ヨー方向のシフト位置に応じて、防振駆動部１２６およびセンサ駆動部１３４を介してレンズ防振ユニット１２５およびセンサ防振ユニット１３５のシフト位置を制御する。これにより、像振れを補正する防振動作が行われる。
【００２８】
なお、防振動作をレンズ防振ユニット１２５とセンサ防振ユニット１３５のいずれか一方または両方を駆動して行うかは、操作部１２１を通じてユーザが選択することができる。例えば、ユーザが防振動作の設定をＯＮにしている場合は、制御部１２２が撮像シーンを判別し、レンズ防振ユニット１２５とセンサ防振ユニット１３５のうち最適な一方または両方を選択して防振動作を行わせる。
【００２９】
交換レンズ１０２は、前述した操作リング１０３、回転検出部（回転検出手段）１３８、前述した振動デバイス１０８および振動デバイス駆動部１３９を有する。回転検出部１３８は、操作リング１０３の回転（ユーザ操作としての回転操作）を検出するために設けられている。回転検出部１３８は、後述するようにフォトインタラプタを用いて構成されている。回転検出部１３８により操作リング１０３の回転操作が検出されると、制御部１２２は、振動デバイス駆動部１３９に振動デバイス１０８に対する駆動信号を出力させ、該振動デバイス１０８に振動を発生させる。後述するように振動デバイス１０８から振動が操作リング１０３に伝達されることで、操作リング１０３に触れているユーザの手（指）に対して操作リング１０３の回転操作に対するクリック感等の操作感を与えることができる。
【００３０】
前述したように背面操作部１１０の操作により撮像パラメータの設定値を変更することが可能であるが、撮像パラメータの設定値の変更を操作リング１０３の回転操作に割り当てることも可能である。
【００３１】
図５（ａ），（ｂ）はそれぞれ、前方および側方から見た交換レンズ１０２およびカメラ本体１００を示している。前述したように、交換レンズ１０２内には振動デバイス１０８が設けられている。図５（ａ）に示すように、振動デバイス１０８は、交換レンズ１０２のうち光軸Ａ（つまりは操作リング１０３の回転中心軸）を挟んでグリップ部１０１とは反対側の位置に配置されている。ユーザは、その右手でカメラ本体１００のグリップ部１０１を把持し、左手で交換レンズ１０２の操作リング１０３を操作する。この際、左手の親指は、操作リング１０３上における光軸Ａを挟んでグリップ部１０１とは反対側の位置に置かれることが多い。このため、この位置の付近に振動デバイス１０８を設けて、振動デバイス１０８の振動が左手の親指に効率良く伝達されるようにしている。
【００３２】
次に、図６から図８を用いて、交換レンズ１０２内で振動デバイス１０８を保持し、その振動を操作リング１０３に伝達する構成について説明する。図６および図７はそれぞれ、交換レンズ１０２の一部を分解して斜め前方と斜め後方から見て示す。図８（ａ）は図５（ｂ）におけるＳ１−Ｓ１線で切断して前側から見た断面を、図８（ｂ）は同Ｓ２−Ｓ２線で切断して前側から見た断面を、図８（ｃ）は同Ｓ３−Ｓ３線で切断して後側から見た断面をそれぞれ示している。
【００３３】
これらの図において、ベース筒としての固定筒１９０は、その内側に前述した撮像光学系（被収容部材）を収容し、かつその外周に操作リング１０３を回転可能に保持する。操作リング１０３は、固定筒１９０に対して周方向にて回転可能に径方向にて嵌合している。振動ユニット２００は、ユニットベース２０１、振動デバイス１０８、振動伝達ギア（振動伝達部材）２０２、スラスト付勢ばね（付勢部材）２０６および回転検出部１３８を構成する２つのフォトインタラプタ１３８ａ等を含み、固定筒１９０に取り付けられる。振動デバイス１０８は、ユニットベース２０１を介して固定筒１９０により保持される。振動ユニット２００は、交換レンズ１０２の径方向において、撮像光学系と操作リング１０３との間に配置されている。
【００３４】
また、固定筒１９０の周壁部のうち、光軸（図５中のＡ）を挟んだグリップ部１０１とは反対側の部分には、後端から前方に向かって切り欠かれた形状の凹部１９０ａが形成されている。振動ユニット２００は、図８に示すように、この凹部１９０ａの内側に配置されている。すなわち、振動ユニット２００は、光軸方向において固定筒１９０と重なるように配置されている。これにより、交換レンズ１０２は、その内部において本来は固定筒１９０が占めるはずの空間を振動ユニット２００の配置空間として用い、操作リング１０３を含む交換レンズ１０２の径の増加を抑えつつ振動ユニット２００を収容している。
【００３５】
ユニットベース２０１は、操作リング１０３の内周に沿って周方向に延びる形状を有し、後述する軸部１９１、ラジアル付勢ばね２０６、振動デバイス１０８および振動伝達ギア２０２が操作リング１０３の周方向に配置されている。ユニットベース２０１には、振動デバイス１０８およびフォトインタラプタ１３８ａが接着剤または両面テープによって固定されている。ユニットベース２０１は、振動デバイス１０８が発生する振動を伝達しやすいように、振動の内部減衰が少ない材料で形成されている。具体的には、ガラスやカーボンを多く含有する樹脂または金属のように、振動に対する損失係数が低い材料である。
【００３６】
また、ユニットベース２０１とこれに３つのビスにより取り付けられるユニットカバー２０５はシャフト２０４を保持しており、このシャフト２０４上には振動伝達ギア（ギア部材）２０２が回転可能に取り付けられる。振動伝達ギア２０２にはギア部２０２ａと被検出部２０２ｂとが設けられている。ギア部２０２ａは、図８（ａ）に示すように操作リング１０３の内周部に形成されたギア部１０３ａに噛み合う。被検出部２０２ｂは、ギア部１０３ａと同心の円板に周方向に所定間隔で複数のスリットを設けたものである。振動伝達ギア２０２が回転すると、２つのフォトインタラプタ１３８ａのそれぞれの発光部と受光部との間で被検出部２０２ｂが回転する。２つのフォトインタラプタ１３８ａは、それぞれの発光部から発せられてスリットを通過した光を互いに異なるタイミングで周期的に受光部にて受光する。これにより、２つのフォトインタラプタ１３８ａは、互いに位相がずれた２つのパルス信号を出力する。制御部１２２は、これら２つのパルス信号を用いて、振動伝達ギア２０２とともに回転する操作リング１０３の回転方向と回転量を検出することができる。なお、２つのフォトインタラプタ１３８ａに代えて、被検出部に複数設けられた反射面からの反射光を受光するフォトリフレクタや、被検出部に設けられた導電パターンに接触するブラシを用いて、操作リング１０３の回転を検出してもよい。
【００３７】
操作リング１０３が回転すると、振動伝達ギア２０２は、そのギア部２０２ａと操作リング１０３のギア部１０３ａとのギア比（減速比）に応じた回転量だけ回転する。振動伝達ギア２０２のギア部２０２ａの歯数は操作リング１０３のギア部１０３ａの歯数によりも少ないので、操作リング１０３が小さく回転するだけで振動伝達ギア２０２が大きく回転する。さらに、振動伝達ギア２０２の被検出部２０２ｂには、スリットが細かいピッチで多数形成されている。これにより、操作リング１０３の回転検出の分解能を高めることができる。また、ユニットベース２０１によって、フォトインタラプタ１３８ａと振動伝達ギア２０２とが高い剛性で精度良く保持されている。これにより、環境温度の変化やユーザによる交換レンズ１０２の把持による変形の影響をほとんど受けずに、操作リング１０３の回転を検出することができる。
【００３８】
また、シャフト２０４上にはスラスト付勢ばね２０３が配置されている。スラスト付勢ばね２０３は、振動伝達ギア２０２をその回転中心軸が延びるスラスト方向に付勢して、振動伝達ギア２０２をユニットベース２０１に押圧する。これにより、振動伝達ギア２０２には、ユニットベース２０１との間の摩擦による回転負荷が発生する。この回転負荷は、振動伝達ギア２０２を介して操作リング１０３にも作用するので、操作リング１０３が不用意に回転するのを防ぐとともに、操作リング１０３の回転操作に対して適度な負荷を与える。
【００３９】
フォトインタラプタ１３８ａ（回転検出部１３８）が振動伝達ギア２０２、つまりは操作リング１０３の回転を検出すると、制御部１２２は、振動デバイス駆動部１３９に振動デバイス１０８に対する駆動信号を出力させ、振動デバイス１０８を振動させる。振動デバイス１０８の振動は、振動伝達ギア２０２を介して操作リング１０３に伝達される。このとき、操作リング１０３が回転していないときよりも操作リング１０３のギア部１０３ａと振動伝達ギア２０２のギア部２０２ａとが噛み合いによって互いに圧接（密着）した状態となるため、振動デバイス１０８の振動がより効率良く操作リング１０３に伝達しやすい。
【００４０】
一方、ギア部１０３ａ，２０３ａ間にはスムーズな回転のためのバックラッシュが設けられている。このため、操作リング１０３の回転操作の途中で回転方向を反転させるような場合には、バックラッシュによって上記回転負荷の伝達が途切れて、操作リング１０３の操作感の品位が低下する（操作にガタつきが生じる）おそれがある。また、操作リング１０３の回転の開始タイミングに対して、バックラッシュによるガタの分だけ回転検出が遅れるおそれもある。
【００４１】
このため、本実施例では、固定筒１９０の凹部１９０ａの一部に軸部１９１を形成し、該軸部１９１上に捻りコイルばねとしてのラジアル付勢ばね２０６を配置している。振動ユニット２００は、軸部１９１回りでラジアル方向に回動可能なように固定筒１９０に取り付けられている。軸部１９１上に配置された振動ユニット２００は、軸部１９１から脱落しないように、段付きビス２０７によって抜け止めがなされている。
【００４２】
ラジアル付勢ばね２０６は、振動ユニット２００を、軸部１９１回りにおいて振動伝達ギア２０２のギア部２０２ａが操作リング１０３のギア部１０３ａに噛み合う方向に付勢する。図８（ａ）中のＦは、ラジアル付勢ばね２０６による振動ユニット２００の付勢方向を示している。振動伝達ギア２０２のギア部２０２ａを、付勢方向Ｆとしてのラジアル方向に付勢することで、ギア部２０２ａ，１０３ａの隙間を詰めてバックラッシュによるガタの発生を抑制している。
【００４３】
また、図８（ｃ）中のＶは、振動デバイス１０８が発生する振動の方向である振動方向を示している。前述したように、操作リング１０３は固定筒１９０に径方向にて嵌合している。仮に、振動デバイス１０８をラジアル付勢ばね２０６の付勢方向Ｆに振動させたとすると、その振動は径方向の嵌合を介して固定筒１９０に伝達して、結果的には交換レンズ１０２全体が振動する。このような交換レンズ１０２の全体の振動は、ユーザが操作リング１０３から振動により操作感を得る上では好ましくない。
【００４４】
そこで、本実施例では、振動デバイス１０８の振動方向Ｖを、ラジアル付勢ばね２０６による付勢方向Ｆとは異なる（交差する）方向となるように振動デバイス１０８の向きを設定している。具体的には、振動方向Ｖを、付勢方向Ｆよりも操作リング１０３の周方向（回転方向）に近づけている。これにより、振動デバイス１０８は、操作リング１０３の回転方向に近い向で振動し、ユーザは操作リング１０３から違和感のない操作感を得ることができる。
【００４５】
上記実施例では、レンズ交換型カメラに装着される交換レンズに振動デバイスを設ける場合について説明したが、レンズ一体型カメラのレンズ鏡筒部に振動デバイスを設ける場合も、本発明の実施例に含まれる。また、光学系を含むカメラモジュールを搭載した電子機器やカメラモジュールを持たない電子機器であって振動デバイスを有するものも、本発明の実施例に含まれる。
【００４６】
以上説明した各実施例は代表的な例にすぎず、本発明の実施に際しては、各実施例に対して種々の変形や変更が可能である。
【符号の説明】
【００４７】
１０２  交換レンズ
１０３  操作リング
１０８  振動デバイス
１９０  固定筒
２０２  振動伝達ギア
【図１】
2020052152.tif 000003
【図２】
2020052152.tif 000004
【図３】
2020052152.tif 000005
【図４】
2020052152.tif 000006
【図５】
2020052152.tif 000007
【図６】
2020052152.tif 000008
【図７】
2020052152.tif 000009
【図８】
2020052152.tif 000010